(57)【特許請求の範囲】
【請求項１】
第１の加工工具の、第２の加工工具（４）を有している加工スペース（１１）内の実際の位置データを定める方法であって、その際第２の工具（４）は第１の工具の定めるべき位置データに関して公知の位置データを有しており、その際第１の工具（１）及び第２の工具（４）は互いに接近する方向にかつ互いに離反する方向に運動可能である形式のものにおいて、その位置を定めるべき第１の工具（１）が、第２の加工工具（４）の、その位置が公知の加工面（５）に接触し、その際第２の工具のための駆動モータの回転数が、第２の工具の回転数が第１の工具（１）の接触の際に、測定可能に減少せしめられるように低い始動回転数に調整されることを特徴とする、加工工具の実際の位置を定める方法。
【請求項２】
まず、第２の加工工具の絶対的な位置データを、種々の、工具の工作物あるいは工作物に固定されている部分の基準面に対する接触によって調べ、その際軸方向でも、加工面（５）の絶対的な位置決定が行われることを特徴とする、請求項１記載の方法。
【請求項３】
第２の工具（４）が端面側の加工面（５）を、かつ第１の加工工具（１）が先細になっている先端に位置している加工面を有していることを特徴とする、請求項１又は２記載の方法。
【請求項４】
両方の工具（１，４）の加工軸線（６，７）が互いに平行にずれ（ｒ）をもって整向されており、したがって第１の工具（１）の、第２の加工工具（４）の回転する加工面（５）に対する接触が中心を外れて行われることを特徴とする、請求項１から３までのいずれか１項に記載の方法。
【請求項５】
加工工具（４）が、接触の前に、加工に使用される回転数の１００分の１よりも小さい回転数で駆動されることを特徴とする、請求項１から４までのいずれか１項に記載の方法。
【請求項６】
工具（１，４）が、本来の位置決定の前に、互いに粗く整向されることを特徴とする、請求項１から５までのいずれか１項に記載の方法。
【請求項７】
工具先端（２，５）の走査中に、駆動モータに、実際の軸受けの及びすべての潤滑剤の摩擦モーメントが丁度超えられるような、多さの出力が供給されることを特徴とする、請求項１から６までのいずれか１項に記載の方法。
【請求項８】
工具（１）の確定された位置が所定の修正値だけ変化せしめられることを特徴とする、請求項１から７までのいずれか１項に記載の方法。
【請求項９】
第２の工具（４）及び又は第１の工具（１）の送りが、工具（４）のための駆動モータの回転数に連結されていて、工具（４）の回転数の減少が送りの減少を生ぜしめることを特徴とする、請求項１から８までのいずれか１項に記載の方法。
【請求項１０】
工具（１，４）の送りが、工具（４）の駆動モータの回転数がゼロになったときに、停止せしめられることを特徴とする、請求項９記載の方法。
【請求項１１】
請求項１〜１０のいずれか１項に記載の方法を実施する装置であって、その都度少なくとも１つの回転せしめられ、先端に向かって先細になっているか、若しくは端面側の加工面（２，５）有する加工工具（１，４）を受容する第１及び第２のスピンドルを有し、その際これらのスピンドルは、加工工具（１，４）及び工作物（３）が、工作物（３）において材料が除去されるように、互いに接近する方向にかつ互いに離反する方向に動かされることができるように配置されかつ支承されており、更に、スピンドルを調節するための及び加工工具を駆動するための駆動モータを有しており、更に、工具の送り距離を確定する信号を生ぜしめる手段を有し、この信号は加工工具（１）のスタート位置を調べるために使用される形式のものにおいて、接触面（５）が回転する工具（４）の端面側の加工面によって形成されており、第１の加工工具が軸平行にずれ（ｒ）をもって接触面に整向されていることを特徴とする、請求項１から１０までのいずれか１項に記載の方法を実施する装置。
【請求項１２】
第１の工具（１）が先細になっている先端を有しており、かつ特に先端を有する球研削具又は円すい研削具として構成されており、第２の工具（４）が円柱体の端面として構成されていることを特徴とする、請求項１１記載の装置。
【請求項１３】
第１の工具（１）及び又は第２の工具を相互に向かって送るための駆動手段が設けられており、これらの駆動手段は加工工具（４）の回転数に連結されていて、加工工具（４）の回転数が減少すると、駆動手段によって生ぜしめられる運動が減少せしめられることを特徴とする、請求項１２記載の装置。
【発明の詳細な説明】
【０００１】
【発明の属する技術分野】
本発明は、加工工具の実際の位置データを定める方法及びそのための装置に関し、かつ特に歯科のＣＡＤ／ＣＡＭの研削機械で研削装置によって使用可能な歯修復受動体を製作する分野に関する。
【０００２】
【従来の技術】
セラミック素材の形状研削加工のためには、規定された形状の表面を有する研削ピンが特に適している。自動的な製作法ではこの場合、研削ぴんの位置及び寸法を各加工過程前に、少なくともしかし研削ピンの交換の後に測定することが必要である。この測定は公知の大きさの工作物を走査することによって達成することができる。走査過程は、大体においてわずかな回転数で回転する研削具と、研削具を工作物に対して動かすあるいは工作物を研削具に対して動かすことによって、行われる。走査過程は、工作物と研削具との摩擦接触によって、摩擦接触により研削具の回転数がゼロに減少したときに、終了する。
【０００３】
DE 40 30 175 C2 から、モータで駆動され送り装置によって加工すべき工作物に接近及び離反するように運動可能な工具を工作物若しくは工作物を受容する保持体に関してキャリブレーションする方法並びにこの方法を実施する装置が公知である。
【０００４】
ここに記載されている方法は、摩擦面の形状が極めて規定されておらず、あるいは小さく、特に先端に向かって先細になっている研削具の場合に先端での軸方向での走査の際に高い位置決め精度をもたらすときに、限界がある。なぜなら、研削具先端の正確な形状及び研削具先端における研削粒子の分配はしばしば著しく変化するからである。
【０００５】
【発明が解決しようとする課題】
本発明の課題は、任意の先端形状を有する工具の正確な直線状の位置データを定めることである。
【０００６】
【課題を解決するための手段】
本発明は、請求項１の手段によって解決される。強い先端のとがりを有する第１の研削具の正確な直線状の位置データを定めるために、大きな端面側の研削面を有する第２の研削具が使用される。まず種々の走査過程によって第２の研削具の絶対的な位置データが調べられる。第２の研削具の大きな端面側の加工面は、軸方向で、基準面における正確な絶対的な位置決定も可能にする。それは加工面が充分に大きいからである。今や第１及び第２の研削具は互いに粗く位置決めされる。この場合、研削具軸線は同軸的に充分なずれをもって位置せしめられる。今や、第２の研削具が低い回転数で回転せしめられ、両方の研削具は端面側で接近せしめられる。この場合、両方の研削具のどちらが動かされるかは重要ではない。両方の研削具が互いに衝突すると、第２の研削具の回転が第１の研削具の先端において制動される。ずれの大きさはこの場合制動モーメントを重要に決定する。第２の研削具の絶対的な位置の値から、今や間接的に第１のとがった研削具の絶対的な位置が定められる。特にこの相対的な測定は、工作物がとがった研削具と端面側の大面積の研削具とによって研削される研削加工に極めて良く適している。
【０００７】
【発明の実施の形態】
有利な実施態様は従属請求項に記載されている。
【０００８】
更に、本発明による方法を実施するための装置は請求項１０の特徴を有している。
【０００９】
この装置は、その都度少なくとも１つの、回転せしめられる、先端に向かって先細になっている加工面若しくは端面側の加工面を有している加工工具を受容するための第１及び第２のスピンドルを有し、その際これらのスピンドルは、加工工具及び工作物が、工作物において材料の除去が行われるように、互いに接近する方向にかつ互いに離反する方向に動かすことができる。更にスピンドルを調節するため及び加工工具を駆動するための駆動モータ並びに工具の送りを確定するための信号を生ぜしめる手段が設けられており、この信号は加工工具のスタート位置を調べるために使用される。装置が、回転する工具の端面側の加工面によって形成される接触面を有していることによって、かつ第１の加工工具が軸平行の、ずれをもって加工面に整向されていることによって、加工工具の位置を特に良く定めることができる。
【００１０】
有利な形式で、第１の工具は先細になっている先端を有し、この場合特に球研削具又は円すい研削具として構成され、かつ第２の工具は円柱体の端面として構成されている。
【００１１】
【実施例】
図面には本発明の１実施例が示されている。
【００１２】
図１に示した原理図は円すい研削具の形の、先端２を有する第１の加工工具１を示し、これは図示していない駆動軸を介して工作物３の加工のために回転させることができる。このために、駆動軸に図示していない駆動モータが作用する。ケーシング内で第１の軸受け２及び第２の軸受け３を介して支承されている駆動軸４を介して矢印５で示したように回転せしめられる。このために駆動軸には図示していない駆動モータが作用する。
【００１３】
更に、大きな端面側の加工面５を有する加工工具４が円柱研削具の形で示されており、これは先端２と向き合う位置において工作物３に対して間隔をおいている。工作物３を加工するために、加工工具１，４は軸線６，７に沿って送りの方向を示す矢印８及び９によって示すように動かされ、かつこれらの軸線を中心として、矢印１０によって加工工具４のために示すように、回転させることができる。
【００１４】
加工工具１及び４は送り方向で、しかし工作物３の外方で工作物を受容する加工スペース１１の内部で位置決定をするために、回転軸線６，７が互いに平行であるが、しかし互いにずれｒを有している位置にもたらされる。各研削過程の前に研削具は同軸的にずれｒだけずらされて、走査過程のために位置決めされる。
【００１５】
次いで、研削具４は回転せしめられ、低い回転数で注意深く研削具１に向かって送りの方向に動かされる。この場合、両方の研削具のどちらが動かされるかは重要でなく、両方の研削具を動かすこともできる。両方の研削具が衝突すると、第２の研削具の回転は第１の研削具の先端において制動される。ずれの大きさはこの場合重に制動モーメントを定める。接触の際の所望の制動モーメントＭＢは：
ＭＢ＝μ＊Fａｘｉａｌ＊ｒ
であり、個々の研削粒子が互いに引っかかって、摩擦係数μを定めることによって、生じる。力Ｆａｘｉａｌは、両方の加工工具が軸方向で互いに作用させる力である。大抵は、制動モーメントは正確に知られておらず、しかしながらずれｒがある程度の大きさである場合に、既にわずかな軸方向の力導入の際に、制動モーメントは端面側の大面積の研削具をストップさせるのに充分である。研削具の最初の回転数はこの場合低くされていて、研削具の相互の前損傷が生じないようになっている。研削具の停止はモータ軸のセンサを介して検出することができ、実際の送り位置は貯蔵することができる。
【００１６】
方法にとって重要なことは、第２の加工工具の位置データを正確にし知ることであり、したがってその端面側の加工面５は基準面として役立つことができる。種々の走査過程によって第２の研削具４の絶対的な位置データが調べられる。第２の研削具４の大面積の研削面５は軸方向でも、要するに回転軸戦７に沿って、正確な絶対的な位置決定を可能にする。それは摩擦面が充分に大きくて、例えば工作物に配置されている基準面において接触によって制動することができるからである。第２の研削具４の絶対的な位置の値から、間接的に第１のとがった研削具１の絶対的な位置を定めることができる。特に、この相対的な測定は、工作物がとがった研削具及び端面側の大面積の研削具により研削される研削加工の場合に極めて良い。
【００１７】
駆動軸全体ひいては工具１は図示していない手段を介して加工すべき工作物に向かう方向及びこれから離反する方向に動かすことができる。
【００１８】
この場合駆動モータの工具１のための回転数は始動回転数に調整され、この始動回転数は、基準面１０が工具先端７によって接触せしめられる場合に、これによって生ぜしめられる摩擦力によって駆動モータの回転数がゼロになるように、低い。駆動モータは要するに摩擦に基づいて停止するまで制動せしめられる。
【００１９】
直接的に明らかであるように、この制動力は、円すい状に先細になっている先端の場合に、最初はほとんど点形の接触面に基づいて極めて小さくなければならず、したがってずれｒによって形成されているレバー腕に基づいて初めて充分に大きな制動モーメントが構成され、これによって駆動軸はずれのない場合よりも明確に早期に停止せしめられる。
【００２０】
加工工具が、位置決定の場合に生ずる力によって損傷することを防止するために、駆動軸の送り装置内に前緊縮されたばねエレメントを設けておくことができ、これは負荷の下で弾入することによって、停止している工具に作用する力を受け止める。弾入はこの場合、送りの方向とは逆に行われ、その際ばねエレメントの前緊縮は充分に大きく選んで、加工中に予定通りに生ずる所定の工具負荷を超えるようにしなければならない。弾入はしたがって単に工具を過負荷に対して保護するために行われる。これによって、一面では工具先端の過負荷による損傷が回避され、かつ他面では、工具先端による工作物の正確な加工が行われる。
【００２１】
駆動モータが制動せしめられる場合、端面に接触している工具１、４がそれ以上回転し得ないように、配慮される。このことは、加工工具若しくは駆動モータの回転数が工具の送りのための案内値として使用されることによって、生ぜしめられる。工具の回転数が低下すると、送りも減少せしめられる。工具がゼロに制動されると、送りもゼロになる。
【００２２】
２つの、ダイヤモンドを付けた研削具お互いに位置決定する場合に、加工工具が接触の前に、加工に使用される回転数の１００分の１よりも小さい回転数で、特に毎秒１〜１０回転で回転させれば充分であると分かった。
【００２３】
工具１及び４は本来の接触の前に工具先端２の位置決定のために互いに整向せしめられ、その際、ここでは基準面１０に対する間隔に関しての粗い位置決定である。続いて行われる位置決定に比して明らかに大きな送り速度で行うことのできるこの粗い位置決定の後に初めて、基準面に対する工具のゆっくりとした送りが行われ、したがって全体として短い時間が必要である。
【００２４】
位置決定の後に、確定された位置を所定の修正値だけ変化させることができ、例えば慣性に基づくシステム特性を考慮することができる。これによって精度を更に改善することができる。
【００２５】
各区研削過程の前に、研削具は軸方向に位置決めされる。研削具先端の間の間隔が極めて短く、したがって単に短い走査距離を前進させる必要があることが考慮される。このことは、停止している加工工具の基準面に対する加工工具１の前もっての粗い走査過程によって行うことができる。
【００２６】
次いで第２の研削具４はゆっくりと回転（１〜１０Ｈｚ）せしめられる。この場合、駆動モータには丁度、実際の軸受け及び伝動装置グリースが克服されるような、出力が供給される。研削具の生ぜしめられる回転数はこの場合、研削具の前損傷を回避し得るような、低さである。
【図面の簡単な説明】
【図１】接触過程の前の加工工具の整向を示した原理図である。
【符号の説明】
１  第１の加工工具、  ２  先端、  ３  工作物、  ４  加工工具、  ５  加工面、  ６  軸線、  ７  軸線、  ８矢印、  ９  矢印、  １０  矢印、  １１  加工スペース、  ｒ  ずれ
【図１】
0004141144.tif 000002